(57)【特許請求の範囲】
【請求項１】
シリンダ錠への鍵の差し込みによる回転操作や扉の内側に設けられたサムターンの操作による施解錠を可能とする電気錠を備えた電気錠システムにおいて、
前記電気錠には、施錠状態又は解錠状態を検知して施錠又は解錠の旨のモニタ信号を出力する施解錠状態モニタスイッチが設けられ、
キー入力により発信する送信機からの信号を室外で受けたときに施解錠信号を出力する室外センサと、該室外センサから離れて配設され前記送信機からの信号を室内で受けたときに施解錠信号を出力する室内センサとを備えた施解錠信号発生手段と、
前記施解錠信号発生手段からの施解錠信号に基づいて前記電気錠を施錠又は解錠制御する電気錠制御手段と、
前記施解錠状態モニタスイッチからのモニタ信号と、前記室外センサからの施解錠信号とにより、前記電気錠が室外から施錠又は解錠されたか否かを判定する錠状態判定手段と、
前記電気錠が室外から施錠又は解錠されたと前記錠状態判定手段が判定したときに、室外から解錠されて在室状態にある旨の表示と、室外から施錠されて不在室状態にある旨の表示とが前記判定結果に応じて選択的に切り換わる表示手段とを備えたことを特徴とする電気錠システム。
【請求項２】
前記施解錠信号発生手段は、前記室外センサとしてのテンキーを有する操作器を室外に備え、前記テンキーの操作により予め設定登録された暗証番号が入力されたときに施解錠信号を出力する請求項１記載の電気錠システム。
【請求項３】
前記施解錠信号発生手段は、室外からの操作により、予め設定登録された所定周波数の電磁誘導波を発信する信号発生手段と、該信号発生手段からの電磁誘導波を受けて施解錠信号を出力する前記室外センサとしての信号出力手段とを備えた請求項１記載の電気錠システム。
【請求項４】
前記施解錠信号発生手段は、前記室内センサとしての押ボタンを備え、該押ボタンが押動操作されたときに施解錠信号を出力する請求項１記載の電気錠システム。
【請求項５】
前記施解錠状態モニタスイッチから出力されるモニタ信号を、前記室外センサからの施解錠信号のパルス幅よりも長くなるように遅延させて前記錠状態判定手段に入力する遅延手段を備えた請求項１〜３のいずれか一つに記載の電気錠システム。
【請求項６】
前記室外センサと前記室内センサとが前記錠状態判定手段及び前記電気錠制御手段に共通接続されており、
前記室内センサと前記錠状態判定手段との間には、前記室内センサから前記錠状態判定手段への施解錠信号の入力を阻止する信号阻止手段が設けられた請求項１又は４記載の電気錠システム。
【発明の詳細な説明】
【０００１】
【発明の属する技術分野】
この発明は、電気錠が室外から施錠されたか解錠されたかを判定して在室・不在室表示を行う電気錠システムに関する。
【０００２】
【従来の技術】
扉錠を施解錠したときに、その操作が室内側又は室外側のいずれによるものであるかを判別する装置としては、特公平８−９９１９号公報の扉錠、実公平７−５６４６６号公報の内外施解錠確認装置、特開平４−３１５７９号公報の内外独立信号錠等が知られている。
【０００３】
ここでは、特公平８−９９１９号公報に記載の扉錠を例にとり、図５（ａ）〜（ｅ）の図面にしたがって説明する。この扉錠では、合鍵３１により錠杆３２を作動させて施解錠を行うための操作部材としてのシリンダー３３が室外側に設けられ、摘み３４ａにより施解錠を行うためのサムターン３４が室内側に設けられている。錠ケース３５内の錠杆３２の後方には、マイクロスイッチ３７で構成させるスイッチ３８が設けられている。シリンダー３３内には、マイクロスイッチ３９で構成されるスイッチ４０が設けられている。これら２つのスイッチ３８，４０は、リード線を介して論理回路部に接続されている。マイクロスイッチ３９は、アクチュエータ４１をシリンダー３３の内筒４２に対向させ、外筒４３の後端部に設けた切欠凹部４４内に嵌装された状態で外筒４３に固定されている。内筒４２におけるアクチュエータ４１と対向する円周部分には切欠部４５が形成されている。
【０００４】
これにより、内筒４２から合鍵３１を抜いた状態では、マイクロスイッチ３９のアクチュエータ４１が内筒４２の切欠部４５に突出し、スイッチ４０はオフ状態にある。これに対し、合鍵３１によって内筒４２を回動すると、円周部によってアクチュエータ４１が押され、スイッチ４０がオン状態となる。シリンダー３３の内筒４２が回動すると、内筒４２の後端部に固定された作動杆４６によってハブ４７が回動され、錠杆３２が出没作動されて施錠、解錠される。又、サムターン３４の摘み３４ａの回動によりサムターン３４の内筒が回動すると、内筒に固定された作動杆を介して扉錠のハブ４７が回動され、錠杆３２が出没作動されて施錠、解錠される。
【０００５】
そして、上記の扉錠では、施錠又は解錠動作に伴って論理回路部に入力される２つのスイッチ３８，４０のオン・オフ信号により、施錠、解錠状態が室外又は室内のいずれの側からによるものかを判定している。
（１）スイッチ４０がシリンダー３３の作動を検知したオン状態でスイッチ３８が解錠状態のオフ状態から施錠状態を検知してオン状態になったときには、シリンダー３３による施錠、すなわち室外側からの操作による施錠と判定する。
（２）スイッチ４０がシリンダー３３の作動を検知したオン状態でスイッチ３８が施錠状態のオン状態から解錠状態を検知してオフ状態になったときには、シリンダー３３による施錠、すなわち室外側からの操作による解錠と判定する。
（３）スイッチ４０がシリンダー３３の作動を検知しないオフ状態でスイッチ３８が解錠状態のオフ状態から施錠状態を検知してオン状態になったときには、サムターン３４による施錠、すなわち室内側からの操作による施錠と判定する。
（４）スイッチ４０がシリンダー３３の作動を検知しないオフ状態でスイッチ３８が施錠状態のオン状態から解錠状態を検知してオフ状態になったときには、サムターン３４による解錠、すなわち室内側からの操作による解錠と判定する。
【０００６】
【発明が解決しようとする課題】
しかしながら、上述した従来の錠扉では、シリンダー３３が作動しているか否かを示す検知信号を得るためには、対象者が鍵穴に合鍵３１を差し込んで回転させる動作が必要不可欠となる。
【０００７】
そして、鍵を小さな鍵穴に差し込み、かつ回転させた上で抜き取るという動作は、この種の装置を扱う対象者が身体の動きに不自由を感じる人や非常時の避難に介助が必要な人の場合、極めて操作性に欠け、対象者にかかる負担も大きいという問題があった。
【０００８】
又、従来の方式は、鍵の操作により在室、不在室を検知する故に、システム的に以下に示すような欠点があった。
すなわち、施錠されている状態では、在室、不在室検知の対象者以外の者、例えば介助人や清掃人等が入室のために鍵で解錠すると、在室、不在室の表示は、在室、不在室検知の対象者の状態とは全く無関係に変化してしまう。
このため、従来の方式による在室、不在室の表示は、特に介助者が必要な場合や清掃等の日常生活上のサービスを受ける施設には、不都合な方式であった。
【０００９】
このように、上記構成による錠扉は、身体の動きに不自由を感じる人や非常時の避難に介助が必要な人のためのセキュリティシステムには適さなかった。しかも、シリンダー３３にスイッチ４０を設ける構成なので、内筒４２に切欠部４５を形成したり、外筒４３に切欠凹部４４を形成する等のシリンダー３３に特別な加工を施す必要があり、リード線による配線処理も煩わしく、シリンダーの構造自体が複雑化するという問題があった。
【００１０】
そこで、本発明は上記の事情に鑑み、施解錠操作が容易に行え、対象者の在室、不在室を遠隔判断して表示することができ、在室、不在室表示が対象者以外の施解錠操作によって誤表示されることもなく、例えば身障者や老人等の施設におけるセキュリティシステムとして最適な電気錠システムを提供することを目的としている。
【００１１】
【課題を解決するための手段】
上記目的を達成するために、本発明による請求項１の電気錠システムは、シリンダ錠への鍵の差し込みによる回転操作や扉の内側に設けられたサムターンの操作による施解錠を可能とする電気錠を備えた電気錠システムにおいて、
前記電気錠には、施錠状態又は解錠状態を検知して施錠又は解錠の旨のモニタ信号を出力する施解錠状態モニタスイッチ６が設けられ、
キー入力により発信する送信機８からの信号を室外で受けたときに施解錠信号を出力する室外センサ９と、該室外センサから離れて配設され前記送信機からの信号を室内で受けたときに施解錠信号を出力する室内センサ１０とを備えた施解錠信号発生手段２と、
前記施解錠信号発生手段からの施解錠信号に基づいて前記電気錠を施錠又は解錠制御する電気錠制御手段３と、
前記施解錠状態モニタスイッチからのモニタ信号と、前記室外センサからの施解錠信号とにより、前記電気錠が室外から施錠又は解錠されたか否かを判定する錠状態判定手段４と、
前記電気錠が室外から施錠又は解錠されたと前記錠状態判定手段が判定したときに、室外から解錠されて在室状態にある旨の表示と、室外から施錠されて不在室状態にある旨の表示とが前記判定結果に応じて選択的に切り換わる表示手段５とを備えたことを特徴とする。
【００１３】
請求項２の発明は、請求項１の電気錠システムにおいて、前記施解錠信号発生手段２は、室外センサ９としてのテンキーを有する操作器１１を室外に備え、前記テンキーの操作により予め設定登録された暗証番号が入力されたときに施解錠信号を出力する構成とされる。
【００１４】
請求項３の発明は、請求項１の電気錠システムにおいて、前記施解錠信号発生手段２は、室外からの操作により、予め設定登録された所定周波数の電磁誘導波を発信するカード状の信号発生手段１２と、該信号発生手段からの電磁誘導波を受けて施解錠信号を出力する室外センサとしての信号出力手段とを備えた構成とされる。
【００１５】
請求項４の発明は、請求項１の電気錠システムにおいて、前記施解錠信号発生手段２は、室内センサ１０としての押ボタンを備え、該押ボタンが押動操作されたときに施解錠信号を出力する構成とされる。
【００１６】
請求項５の発明は、請求項１〜３の電気錠システムにおいて、前記施解錠状態モニタスイッチ６から出力されるモニタ信号を、前記室外センサ９からの施解錠信号のパルス幅よりも長くなるように遅延させて前記錠状態判定手段に入力する遅延手段１９を備えた構成とされる。
【００１７】
請求項６の発明は、請求項１又は４の電気錠システムにおいて、前記室外センサ９と前記室内センサ１０とが前記錠状態判定手段４及び前記電気錠制御手段３に共通接続されており、前記室内センサ１０と前記錠状態判定手段４との間には、前記室内センサから前記錠状態判定手段への施解錠信号の入力を阻止する信号阻止手段１３が設けられた構成とされる。
【００１８】
本発明による電気錠システムでは、施解錠状態モニタスイッチ６から施錠状態又は解錠状態を示すモニタ信号が電気錠制御手段３及び錠状態判定手段４に送出される。施解錠信号発生手段２を送信機８、室外センサ９、室内センサ１０で構成した場合、室外からキー入力により送信機８から送出されたリモコン信号が室外センサ９で受信されると、室外センサ９から施解錠信号（短時間のパルス）が錠状態判定手段４に送られる。錠状態判定手段４では、室外センサ９からの施解錠信号と施解錠モニタ信号とに基づいて電気錠１が室外から施錠されたか、室外から解錠されたかを判定する。表示手段５は、この判定結果に基づいて在室又は不在室の旨を表示する。上記動作に並行して、送信機８による室外センサ９からの施解錠信号は電気錠制御手段３に与えられる。電気錠制御手段３は、この施解錠信号に基づいて電気錠１を施錠から解錠、又は解錠から施錠に制御する。
【００１９】
室内で送信機８により施解錠するときには、信号阻止手段１３により、錠状態判定手段４に室内センサ１０の出力が伝わらず、表示手段５の表示が切り換わることはない。その際、電気錠制御手段３には、室内センサ１０からの施解錠信号が与えられ、送信機８により自由に電気錠１の施解錠が行える。
【００２０】
室内でサムターンにより施解錠するときには、錠状態判定手段４に対して室内センサ１０より信号の入力が無いので、錠状態判定手段４が動作することはなく、表示手段５は在室の旨を示す表示を保持する。又、キーやサムターンで施解錠する場合にも、錠状態判定手段４に対して室外センサ９や室内センサ１０より信号の入力が無いので、錠状態判定手段４が動作することはない。したがって、表示手段５は、表示が切り換わらずにそれまでの表示を保持する。
【００２１】
【発明の実施の形態】
図１は本発明による電気錠システムのブロック図であり、電気錠システムは、電気錠１、施解錠信号発生器２、電気錠制御回路３、錠状態判定回路４、在・不在室表示器５を備えて概略構成されている。
【００２２】
電気錠１は、従来より一般的に使用される構成のものであり、施解錠状態モニタスイッチ６と、施解錠状態切換用の駆動手段としてのアクチュエータ７とを備えている。施解錠状態モニタスイッチ６には、施錠用端子６ａ、解錠用端子６ｂ、共通端子６ｃが設けられている。施錠用端子６ａは電源の＋側に接続され、解錠用端子６ｂは電源の−側に接続され、共通端子６ｃは電気錠制御回路３及び錠状態判定回路４の入力側に接続されている。
【００２３】
施解錠状態モニタスイッチ６は、電気錠１が施錠状態にあるときに、共通端子６ｃの接点が施錠用端子６ａ側に切り換えられ、高レベル（Ｈ）の施錠モニタ信号Ｓ１を出力する。これに対し、電気錠１が解錠状態にあるときには、共通端子６ｃの接点が解錠用端子６ｂ側に切り換えられ、低レベル（Ｌ）の解錠モニタ信号Ｓ２を出力する。尚、施解錠状態モニタスイッチ６は、特に図示はしないが、シリンダ錠に鍵を差し込み回転操作して施解錠を行ったとき、扉の内側に設けられたサムターンを操作して施解錠を行ったときにも同様のモニタ信号Ｓ１又はＳ２を出力している。
【００２４】
アクチュエータ７は、電気錠１が施錠状態にあるときに、電気錠制御回路３からの解錠制御信号Ｓ３により電気錠１を解錠するように駆動され、電気錠１が解錠状態にあるときには、電気錠制御回路３からの施錠制御信号Ｓ４により電気錠１を施錠するように駆動される。
【００２５】
施解錠信号発生器２は、リモコン送信機８、室外センサ９、室内センサ１０を備えて構成されている。リモコン送信機８は、図２に示すように、略卵形状の本体にリモコンキー８ａが設けられている。リモコン送信機８は、リモコンキー８ａが押動操作されたときに、予め設定された出力時間（例えば０．５秒）によりリモコン信号としての電波を出力している。
【００２６】
室外センサ９は、リモコン送信機８からのリモコン信号を受信する受信機で構成されており、その出力端子の一方９ａが電源の＋側に接続され、他方９ｂが順方向接続されたダイオード（信号阻止手段）１３を介して電気錠制御回路３に接続されている。ダイオード１３のアノード及びカソードはそれぞれ電源の−側に接続されている。室外センサ９は、電気錠１を施解錠するべくリモコンキー８ａが押動操作されてリモコン送信機８からのリモコン信号を受けたときに短時間のパルスを出力している。室外センサ９は、このパルスを室外施解錠信号Ｓ５として電気錠制御回路３及び錠状態判定回路４に入力している。
【００２７】
リモコンの送受信方式は、電波に限らず、赤外線やその他のものでもよい。又、施解錠信号発生器２としては、図３（ａ）に示すテンキー操作器１１や図３（ｂ）に示す非接触カード１２を用いる構成としてもよい。
【００２８】
さらに説明すると、テンキー操作器１１は、０〜９の数字キー１１ａ、数字キー１１ａによる暗証番号を入力設定するエンターキー１１ｂ、入力された暗証番号をクリアするクリアキー１１ｃを備えている。
【００２９】
このテンキー操作器１１では、予め設定登録された正しい暗証番号が入力設定されると、その照合結果を接点出力による室外施解錠信号Ｓ５として電気錠制御回路３及び錠状態判定回路４に入力している。
【００３０】
非接触カード１２を用いる構成では、非接触カード１２が室外センサ９に近づいて室外センサ９が予め登録された所定周波数の電磁誘導波を受けたときに、室外センサ９より室外施解錠信号Ｓ５を電気錠制御回路３及び錠状態判定回路４に入力している。尚、非接触カード１２を例えば身障者や老人等の施設のセキュリティシステムに使用する場合には、無闇に電気錠１が施解錠されないように、予め登録された暗証番号により変調された電磁誘導波を受けたときに、室外センサ９より室外施解錠信号Ｓ５が電気錠制御回路３及び錠状態判定回路４に入力される。
【００３１】
室内センサ１０は、リモコン送信機８からのリモコン信号を受信する受信機で構成されており、その出力端子の一方１０ａが電源の＋側に接続され、他方１０ｂがダイオード１３のカソードに接続された状態で電気錠制御回路３に接続されている。室内センサ１０は、電気錠１を施解錠するべくリモコンキー８ａが押動操作されてリモコン送信機８からのリモコン信号を受けたときに短時間のパルスを出力している。室内センサ１０は、このパルスを室内施解錠信号Ｓ６として電気錠制御回路３に入力している。その際、室内センサ１０と錠状態判定回路４との間には、アノード及びカソードが電源の−側に接続された状態でダイオード１３が逆方向接続されているので、錠状態判定回路４へのパルス（室内施解錠信号Ｓ６）の入力は阻止される。尚、室内センサ１０は、受信機の他、押ボタンで構成してもよい。
【００３２】
上記のようにリモコン送信機８を用いる場合には、室内で室外からのリモコン信号を受信しないように、又、逆に室外で室内からのリモコン信号を受信しないように室外センサ９と室内センサ１０の設置がなされる。例えばリモコン送信機８の送信方式が電波による場合、室内センサ１０は、室外でのリモコン電波を受信しないように、扉から離れた位置に設置される。
【００３３】
電気錠制御回路３は、施解錠状態モニタスイッチ６からのモニタ信号（施錠モニタ信号Ｓ１又は解錠モニタ信号Ｓ２）と、室外センサ９又は室内センサ１０からの施解錠信号（室外施解錠信号Ｓ５又は室内施解錠信号Ｓ６）とに基づき、アクチュエータ７の駆動を制御して電気錠１を施解錠制御している。
【００３４】
具体的には、施解錠状態モニタスイッチ６から施錠モニタ信号Ｓ１が入力している状態で、室外センサ９又は室内センサ１０より施解錠信号Ｓ５又はＳ６が入力されると、施解錠制御信号Ｓ５又はＳ６によりアクチュエータ７を動作させて電気錠１を解錠している。これに対し、施解錠状態モニタスイッチ６から解錠モニタ信号Ｓ２が入力している状態で、室外センサ９又は室内センサ１０より施解錠信号Ｓ５又はＳ６が入力されると、施解錠制御信号Ｓ５又はＳ６によりアクチュエータ７を動作させて電気錠１を施錠している。
【００３５】
錠状態判定回路４は、２入力１出力による２つのアンド回路１４，１５、１つのノット回路１６、Ｓ−Ｒ形フリップ・フロップ回路（以下Ｆ・Ｆ回路という）１７を備えて構成されている。第１アンド回路１４の一方の入力端子１４ａは、施解錠状態モニタスイッチ６の共通端子６ｃに接続されるとともに、ノット回路１６を介して第２アンド回路１５の一方の入力端子１５ａに接続されている。第１アンド回路１４の他方の入力端子１４ｂは、第２アンド回路１５の他方の入力端子１５ｂに接続されるとともに、ダイオード１３を介して室内センサ１０の他方の出力端子１０ｂに接続されている。第１アンド回路１４の出力端子１４ｃは、Ｆ・Ｆ回路１７のＳ端子に接続されている。第２アンド回路１５の出力端子１５ｃは、Ｆ・Ｆ回路１７のＲ端子に接続されている。
【００３６】
施解錠状態モニタスイッチ６の共通端子６ｃと電気錠制御回路３の入力の接続点Ｐ１と、施解錠状態モニタスイッチ６に対する第１アンド回路の一方の入力端子とノット回路の入力端子の接続点Ｐ２との間には、遅延回路１９が設けられている。遅延回路１９は、その遅延時間が室外センサ９が出力するパルスの幅より長い時間に設定されている。
【００３７】
錠状態判定回路４では、施解錠信号発生器２からの室外施解錠信号Ｓ５により、電気錠１の施解錠状態スイッチ６が出力するモニタ信号（施錠モニタ信号Ｓ１又は解錠モニタ信号Ｓ２）の状態を保持し、電気錠１が室外から施錠された状態であるか、それとも室外から解錠された状態であるかを判定している。
【００３８】
具体的には、施解錠状態モニタスイッチ６より施錠モニタ信号Ｓ１が入力している状態で、室外センサ９より室外施解錠信号Ｓ５が入力されると、第１アンド回路１４の出力１４ｃが高レベル（Ｈ）、第２アンド回路１５の出力１５ｃが低レベル（Ｌ）となる。そして、第１アンド回路１４から高レベルの室外解錠出力Ｓ７がＦ・Ｆ回路１７のＳ端子に入力してセットし、Ｆ・Ｆ回路１７の一方の出力（Ｑ）１７ａが高レベル（Ｈ）となる。これにより、Ｆ・Ｆ回路１７は、在・不在室表示器５に対し、室外からの操作により電気錠１が解錠されたことを示す室外解錠信号Ｓ８を出力する。
【００３９】
これに対し、施解錠状態モニタスイッチ６より解錠モニタ信号Ｓ２が入力している状態で、室外センサ９より室外施解錠信号Ｓ５が入力されると、第１アンド回路１４の出力１４ｃが低レベル（Ｌ）、第２アンド回路１５の出力１５ｃが高レベル（Ｈ）となる。そして、第２アンド回路１５から高レベルの室外施錠出力Ｓ９がＦ・Ｆ回路１７のＲ端子に入力してリセットし、Ｆ・Ｆ回路１７の他方の出力１７ｂが高レベル（Ｈ）となる。これにより、Ｆ・Ｆ回路１７は、在・不在室表示器５に対し、室外からの操作により電気錠１が施錠されたことを示す室外施錠信号Ｓ１０を出力する。
【００４０】
尚、上記錠状態判定回路４は、アンド回路１４，１５、ノット回路１６、Ｆ・Ｆ回路１７から構成されたものを図示して説明しているが、同じ入出力機能を持つものであれば、これに限ることはない。
【００４１】
在・不在室表示器５は、例えばＬＥＤ等で構成され、錠状態判定回路４におけるＦ・Ｆ回路１７の出力１７ａ，１７ｂに接続されている。在・不在室表示器５は、Ｆ・Ｆ回路１７からの室外解錠信号Ｓ８、又は室外施錠信号Ｓ１０を受け、ＬＥＤを切換点灯して在室・不在室を表示している。
【００４２】
具体的には、Ｆ・Ｆ回路１７の一方の出力（Ｑ）１７ａより室外解錠信号Ｓ８が入力しているときに、在室を示すＬＥＤ（例えば緑色）を点灯し、Ｆ・Ｆ回路１７の他方の出力１７ｂより室外施錠信号Ｓ１０が入力しているときには、不在室を示すＬＥＤ（例えば赤色）を点灯している。尚、在・不在室表示器５は、ＬＥＤ等の表示器に限らず、パソコン等の画面表示で行うようにしてもよい。
【００４３】
非常警報機１８は、火災時に電気錠制御回路３に対して非常解錠信号を出力している。尚、非常時解錠を人力に頼る場合には、非常警報機１８の代わりに単なる押ボタンでもよい。又、システム全体の目的が、対象者の日常生活の利便性にある場合には、非常解錠に関する部分は必ずしも必要ではない。
【００４４】
次に、上記のように構成された電気錠システムの動作について説明する。
（１）不在室表示で、かつ室外からリモコン送信機８により解錠して在室表示に切り換える場合
この場合は、外出から帰り、入室しようとしていることを意味するので、電気錠１は施錠状態にあり、施解錠状態モニタスイッチ６における共通接点６ｃの接点は施錠用端子６ａ側に切り換えられている。これにより、施解錠状態モニタスイッチ６からは、高レベルの施錠モニタ信号Ｓ１が第１アンド回路１４の一方の入力端子１４ａに入力されるとともに、ノット回路１６を介して第２アンド回路１５の一方の入力端子１５ａに入力される。この結果、第１アンド回路１４の一方の入力端子１４ａが高レベル状態で、第２アンド回路１５の一方の入力端子１５ａが低レベル状態となる。
【００４５】
この状態で、室外からリモコン送信機８のリモコンキー８ａが押動操作されると、リモコン送信機８よりリモコン信号が送出される。このリモコン信号を室外センサ９が受信すると、室外センサ９からは短時間のパルスが出力される。この室外センサ９からのパルスが室外施解錠信号Ｓ５として錠状態判定回路４に送られると、回路条件より第１アンド回路１４から室外解錠出力Ｓ７がＦ・Ｆ回路１７のＳ端子へ送られる。これにより、Ｆ・Ｆ回路１７はセットされ、Ｆ・Ｆ回路１７の一方の出力端子１７ａより在・不在室表示器５に室外解錠信号Ｓ８が送られる。在・不在室表示器５は、Ｆ・Ｆ回路１７より室外解錠信号Ｓ８が入力されると、室外から解錠されて在室状態にある旨の表示に切り換わる。
【００４６】
上記動作に並行して、室外センサ９からの短時間のパルスによる室外施解錠信号Ｓ５はダイオード１３を通して電気錠制御回路３に与えられる。これにより、電気錠制御回路３より電気錠１のアクチュエータ７に対し、解錠制御信号Ｓ３が与えられ、電気錠１が解錠される。
【００４７】
このとき、室外センサ９からの室外施解錠信号Ｓ５のパルスの出力時間が、電気錠１の施解錠状態モニタスイッチ６の切換終了時間より長いと、回路条件により第２アンド回路１５から室外施錠出力Ｓ９が出力され、在・不在表示器５が不在状態にある旨の表示に切り換わってしまい、不都合である。
【００４８】
しかし、この不具合は、図１に示す如く、接続点Ｐ１，Ｐ２間に設けられた遅延回路１９によって解消することができる。すなわち、遅延回路１９は、遅延時間が室外センサ９のパルス幅より長い時間に設定されている。これにより、施解錠状態モニタスイッチ６の施錠モニタ信号Ｓ１（解錠モニタ信号Ｓ２）は、遅延回路１９により所定時間遅延して第１アンド回路１４の一方の入力端子１４ａとノット回路１６を介して第２アンド回路１５の一方の入力端子１５ａにそれぞれ入力される。これにより、室外センサ９より室外施解錠信号Ｓ５が入力している間に、Ｆ・Ｆ回路１７の出力が反転して在・不在室表示器５の表示が切り換わるのを防止することができる。
【００４９】
（２）在室表示で、かつ室外からリモコン送信機８により施錠して不在表示に切り換える場合
この場合は、外出しようとして、室内から室外へ出たことを意味するので、電気錠１は解錠状態にあり、施解錠状態モニタスイッチ６における共通接点６ｃの接点は解錠用端子６ｂ側に切り換えられている。これにより、施解錠状態モニタスイッチ６からは、低レベルの解錠モニタ信号Ｓ２が第１アンド回路１４の一方の入力端子１４ａに入力されるとともに、ノット回路１６を介して第２アンド回路１５の一方の入力端子１５ａに入力される。この結果、第１アンド回路１４の一方の入力端子１４ａが低レベル状態で、第２アンド回路１５の一方の入力端子１５ａが高レベル状態となる。
【００５０】
この状態で、室外からリモコン送信機８のリモコンキー８ａが押動操作されると、リモコン送信機８よりリモコン信号が送出される。このリモコン信号を室外センサ９が受信すると、室外センサ９からは短時間のパルスが出力される。この室外センサ９からのパルスが室外施解錠信号Ｓ５として錠状態判定回路４に送られると、回路条件より第２アンド回路１５から室外施錠出力Ｓ９がＦ・Ｆ回路１７のＲ端子へ送られる。これにより、Ｆ・Ｆ回路１７はリセットされ、Ｆ・Ｆ回路１７の他方の出力端子１７ｂより在・不在室表示器５に室外施錠信号Ｓ１０が送られる。在・不在室表示器５は、Ｆ・Ｆ回路１７より室外施錠信号Ｓ１０が入力されると、室外から施錠されて不在室状態にある旨の表示に切り換わる。
【００５１】
上記動作に並行して、室外センサ９からの短時間のパルスによる室外施解錠信号Ｓ５はダイオード１３を通して電気錠制御回路３に与えられる。これにより、電気錠制御回路３より電気錠１のアクチュエータに対し、施錠制御信号Ｓ４が与えられ、電気錠１が施錠される。
【００５２】
ここで、前述した如く、室外センサ９からのパルスの出力時間が、電気錠１の施解錠状態モニタスイッチ６の切換終了時間より長い場合の不具合は前述した遅延回路１９により解決される。
【００５３】
（３）室内で施解錠する場合
ａ）室内でリモコン送信機８により施解錠する場合
この場合、ダイオード１３の効果により、錠状態判定回路４に室内センサ１０の出力（室内施解錠信号Ｓ６）が伝わらず、在・不在室表示器５の表示が切り換わることはない。
【００５４】
その際、電気錠制御回路３には、室内センサ１０の出力（室内施解錠信号Ｓ６）が与えられるので、リモコン送信機８により自由に電気錠１の施解錠が行える。具体的に、電気錠制御回路３は、施錠状態モニタスイッチ６より施錠モニタ信号Ｓ１が入力している状態で、室内センサ１０から室内施解錠信号Ｓ６を受けると、電気錠１のアクチュエータ７に解錠制御信号Ｓ３を与えて電気錠１を解錠制御する。これに対し、施錠状態モニタスイッチ６より解錠モニタ信号Ｓ２が入力している状態で、室内センサ１０から室内施解錠信号Ｓ６を受けると、電気錠１のアクチュエータ７に施錠制御信号Ｓ４を与えて電気錠１を施錠制御する。
【００５５】
ｂ）室内でサムターンにより施解錠する場合
この場合、錠状態判定回路４に対して室内センサ１０より信号の入力が無いので、回路条件により、錠状態判定回路４が動作することはなく、在・不在室表示器５は在室の旨を示す表示を保持する。
【００５６】
（４）キーやサムターンで施解錠する場合
何らかの必要があって、居住対象者以外がキーやサムターンで施解錠しても、錠状態判定回路４に対して室外センサ９や室内センサ１０より信号の入力が無いので、回路条件により、錠状態判定回路４が動作することはない。したがって、在・不在室表示器５は、表示が切り換わらずにそれまでの表示を保持する。
【００５７】
（５）非常時の遠隔解錠の場合
電気錠制御回路３に非常解錠入力を与えることにより、火災報知器等との連動による自動解錠や遠隔地からの解錠が可能となる。
【００５８】
上記実施の形態による電気錠システムによれば、電気錠１における施解錠状態モニタスイッチ６のモニタ信号Ｓ１又はＳ２と、室外センサ９からの室外施解錠信号Ｓ５とに基づき、電気錠１が室外から施錠又は解錠されたかを判定して在室、不在室の表示を行っている。そして、室外施解錠信号Ｓ５を発生させる際には、リモコン送信機８のリモコンキー８ａ、テンキー操作器１１、押ボタンの押動操作や非接触カード１２を室外センサ９に近づけるだけの操作で済み、従来のような鍵穴に鍵を差し込み、かつ回転させるという煩雑な機械的作業が省けるので、対象者にかかる操作の負担が軽減でき、施解錠操作の簡便性にも優れており、対象者が室外、室内で行う施解錠操作により、在室・不在室の表示を自動的に行うことができる。
【００５９】
したがって、身体の動きに不自由を感じる人や高齢者、非常時の避難に介助が必要な人のためのセキュリティシステムとして有効に利用することができる。具体的に、日常生活では、対象者が人の介助を受けずに、部屋に出入するに際しての施解錠が行え、又、遠隔地から在室か不在室かを表示確認でき、合鍵を持った介助人や清掃人等が、在室・不在室の表示を変えずに部屋の出入が出来るので、病院、養老院、養護施設、ホテル等での日常サービスを行える。
【００６０】
非常時には、室内に居る対象者の救助進入や対象者の避難補助のため、遠隔地より強制又は自動解錠を行い、非常時における避難や救助作業の補助システムとして利用することができる。具体的には、救助進入のための遠隔解錠や自動解錠、在室者の優先救助、避難を容易にするための遠隔解錠や自動解錠等を行うことができる。又、健常者には、便利システムとして使える。
【００６１】
ところで、上記実施の形態では、電気錠制御回路３に対する室外センサ９と室内センサ１０の入力を共通としているが、図４に示すように、別入力として室外センサ９と室内センサ１０からの信号を電気錠制御回路３に送出する構成とすれば、ダイオード１３の構成を省くことができる。
【００６２】
【発明の効果】
以上説明したように、本発明によれば、従来のような鍵穴に鍵を差し込み、かつ回転させるという煩雑な機械的作業が省けるので、対象者にかかる操作の負担が軽減でき、施解錠操作の簡便性にも優れ、対象者が室外、室内で行う施解錠操作によって在室・不在室の表示を自動的に行うことができる。しかも、従来のようなシリンダーに特別な加工を必要とせずに既製の電気錠を使用することができる。又、シリンダ錠への鍵の差し込み回転操作やサムターンの操作によって電気錠を施解錠しても、不用意に在室・不在室の表示を切り換えることがない。したがって、身体の動きに不自由を感じる人や高齢者の日常生活の介助や、非常時の避難に介助が必要な人のためのセキュリティシステムとして有効利用することができる。
【図面の簡単な説明】
【図１】本発明による電気錠システムの一実施の形態を示すブロック図
【図２】同電気錠システムに用いられるリモコン送信機の斜視図
【図３】（ａ）同電気錠システムの用いられるテンキー操作器の外観図
（ｂ）同電気錠システムの用いられる非接触カードの斜視図
【図４】本発明による電気錠システムの他の実施の形態を示すブロック図
【図５】（ａ）〜（ｅ）  施解錠状態が室外又は室内のいずれ側からの操作によるものかを判別するための従来の扉錠の構成を示す図
【符号の説明】
１…電気錠、２…施解錠信号発生器、３…電気錠制御回路、４…錠状態判定回路、５…在・不在室表示器、６…施解錠状態モニタスイッチ、７…アクチュエータ、８…リモコン送信機、１１…テンキー操作器、１２…非接触カード、１３…ダイオード、１９…遅延回路。
【図１】
0003927257.tif 000002
【図２】
0003927257.tif 000003
【図３】
0003927257.tif 000004
【図４】
0003927257.tif 000005
【図５】
0003927257.tif 000006